(57)【要約】【課題】液体又はジェルを爪に塗布する場合に、尖った先端の筆部を用いて、容易に濃淡を調整しながら塗布することができるネイル施術用ブラシを提供すること。【解決手段】爪に液体又はジェルを塗布するネイル施術用ブラシであって、略棒状の本体部と、略円筒形状であって、前記本体部の一端に配置された取付部と、前記取付部の前記本体部の側とは反対側に配置された先端部とを有し、前記先端部は、ネイルの施術時に施術液を保持する筆部材を備え、前記筆部材は、毛を穂にしたものであり、該筆部材の外形は先端が鋭角に尖った形状であり、前記本体部と前記取付部との接続部分は、施術者が施術時に操作し易いように他の部分より直径が細くなっている、ことを特徴とする。【選択図】図１
0003209056.tif 000002
【実用新案登録請求の範囲】
【請求項１】
爪に液体又はジェルを塗布するネイル施術用ブラシであって、
略棒状の本体部と、
略円筒形状であって、前記本体部の一端に配置された取付部と、
前記取付部の前記本体部の側とは反対側に配置された先端部と
を有し、
前記先端部は、ネイルの施術時に施術液を保持する筆部材を備え、
前記筆部材は、毛を穂にしたものであり、該筆部材の外形は先端が鋭角に尖った形状であり、
前記本体部と前記取付部との接続部分は、施術者が施術時に操作し易いように他の部分より直径が細くなっている、
ことを特徴とするネイル施術用ブラシ。
【請求項２】
請求項１に記載のネイル施術用ブラシであって、
前記筆部材の中央部分の毛の長さは、略１０ｍｍであり、
前記筆部材の両端部分の毛の長さは、略５ｍｍである、
ことを特徴とするネイル施術用ブラシ。
【請求項３】
請求項１または請求項２に記載のネイル施術用ブラシであって、
全長が１００ｍｍから２００ｍｍである、
ことを特徴とするネイル施術用ブラシ。
【考案の詳細な説明】
【技術分野】
【０００１】
本考案は、爪に液体又はジェルを塗布するネイル施術用ブラシに関する。
【背景技術】
【０００２】
特許文献１では、マニキュア液を塗布するブラシであって、互いにほぼ平行で、長さ方向のほぼ中間で２つに折り畳まれた剛毛の束により得られる房を形成する剛毛を含むブラシに関する技術を開示している。また、特許文献２では、ブラシ付きネイルアート容器であって、容器本体の上部に装着された蓋に取り付けられたブラシを備え、ブラシは横断面形状が弓形に形成され、かつ先端部が平面視Ｕ字形に形成されたブラシ付きネイルアート容器に関する技術を開示している。
【先行技術文献】
【特許文献】
【０００３】
【特許文献１】特開平７−１８４７１６号公報
【特許文献２】特開２００４−８８２６号公報
【考案の概要】
【考案が解決しようとする課題】
【０００４】
しかしながら、特許文献１及び特許文献２に開示されている技術では、液体又はジェルを爪に塗布する場合に、濃淡（グラデーション模様）を調整しながら塗布することができない場合がある。
【０００５】
本考案は、液体又はジェルを爪に塗布する場合に、尖った先端の筆部を用いて、容易に濃淡を調整しながら塗布することができるネイル施術用ブラシを提供することを目的とする。
【課題を解決するための手段】
【０００６】
上記課題を解決するために、本考案の一つの実施形態は、爪に液体又はジェルを塗布するネイル施術用ブラシであって、略棒状の本体部と、略円筒形状であって、前記本体部の一端に配置された取付部と、前記取付部の前記本体部の側とは反対側に配置された先端部とを有し、前記先端部は、ネイルの施術時に施術液を保持する筆部材を備え、前記筆部材は、毛を穂にしたものであり、該筆部材の外形は先端が鋭角に尖った形状であり、前記本体部と前記取付部との接続部分は、施術者が施術時に操作し易いように他の部分より直径が細くなっている、ことを特徴とするネイル施術用ブラシを提供する。
【０００７】
本考案の他の実施形態は、上記のネイル施術用ブラシであって、前記筆部材の中央部分の毛の長さは、略１０ｍｍであり、前記筆部材の両端部分の毛の長さは、略５ｍｍである、ことを特徴とするネイル施術用ブラシであってもよい。
【０００８】
本考案の他の実施形態は、上記のいずれかのネイル施術用ブラシであって、全長が１００ｍｍから２００ｍｍである、ことを特徴とするネイル施術用ブラシであってもよい。
【考案の効果】
【０００９】
本考案に係るネイル施術用ブラシによれば、液体又はジェルを爪に塗布する場合に、尖った先端の筆部を用いて、容易に濃淡を調整しながら塗布することができる。
【図面の簡単な説明】
【００１０】
【図１】本考案の実施形態に係るネイル施術用ブラシの一例を説明する説明図である。
【考案を実施するための形態】
【００１１】
実施形態に係るネイル施術用ブラシの例を用いて、本考案を説明する。なお、本考案は、以後に説明するネイル施術用ブラシ以外でも、液体又はジェルを爪に塗布する用具または器具であって、尖った先端の筆部を用いて塗布するものであれば、いずれのものにも用いることができる。なお、ネイル施術用ブラシの素材、色は、特に限定されない。
【００１２】
以後に、本考案を説明する。
【００１３】
図１を用いて、本考案の実施形態に係るネイル施術用ブラシの構成を説明する。ここで、図１は、本考案の実施形態に係るネイル施術用ブラシ１００の一例を示す平面図である。なお、図１に示すネイル施術用ブラシの構成等は一例であり、本考案は図１に示すネイル施術用ブラシに限定されるものではない。
【００１４】
図１に示すように、本考案に係るネイル施術用ブラシ１００は、爪に液体又はジェルを塗布するものである。ネイル施術用ブラシ１００は、略棒状の本体部１１と、本体部１１の一端に配置された取付部１２と、取付部１２の本体部１１の側とは反対側に配置された先端部１３とを有する。ネイル施術用ブラシ１００は、本実施形態では、全長が１００ｍｍから２００ｍｍである。なお、本考案に係るネイル施術用ブラシの形状は、設計、実験、計算などで予め定められる形状とすることができる。
【００１５】
本体部１１は、施術者が施術時に保持する部材である。本体部１１は、例えば白樺木材を用いることができる。また、本体部１１は、例えばラッカー塗装仕上げを用いることができる。なお、本考案に係る本体部１１の材質は、特に限定されない。
【００１６】
取付部１２は、略円筒形状であって、本体部１１と先端部１３とを接続する部材である。取付部１２は、例えば真鍮ニッケルメッキの金具を用いることができる。なお、本考案に係る取付部１２の材質は、特に限定されない。本体部１１と取付部１２との接続部分１１ａは、本実施形態では、施術者が施術時に操作し易いように、他の部分より少なくとも直径が小さくなっている。
【００１７】
先端部１３は、施術時に施術液をネイルに塗布する部材である。先端部１３は、図１に示すように、施術時に施術液を保持する筆部材１３ｂｒを備える。
【００１８】
筆部材１３ｂｒは、毛を穂にしたものである。筆部材１３ｂｒの外形は、先端が鋭角に尖った形状である。図１に示すように、筆部材１３ｂｒ（ネイル施術用ブラシ１００）は、筆部材１３ｂｒの中央部分の毛の長さが略１０ｍｍであり、筆部材１３ｂｒの両端部分の毛の長さが略５ｍｍである。なお、筆部材１３ｂｒの毛巾は、略１０ｍｍである。筆部材１３ｂｒは、例えば馬毛を用いることができる。
【００１９】
以上のとおり、本考案に係るネイル施術用ブラシによれば、液体又はジェルを爪に塗布する場合に、尖った先端の筆部（筆部材１３ｂｒ）を用いて、容易に濃淡を調整しながら塗布することができる。本考案に係るネイル施術用ブラシによれば、筆部（筆部材１３ｂｒ）の尖った先端をネイル（または爪）の幅方向に移動して、断続的に施術液を塗布し、例えばグラデーション模様を容易に施術することができる。また、本考案に係るネイル施術用ブラシによれば、筆部（筆部材１３ｂｒ）の尖った先端を用いて、施術クオリティの向上および施術時間の短縮化を図ることができる。また、本考案に係るネイル施術用ブラシによれば、筆部（筆部材１３ｂｒ）の尖った先端を用いて、デザインを描きやすく、初心者でも容易にクオリティの高いネイルを短時間で仕上げることができる。また、本考案に係るネイル施術用ブラシによれば、筆部（筆部材１３ｂｒ）の尖った先端を用いて、初心者でも容易にグラデーションが均一に描け、個人差もなく、施術時間の短縮をすることができる。
【００２０】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２１】
１００  ：  ネイル施術用ブラシ
１１  ：  本体部
１１ａ：  接続部分
１２  ：  取付部
１３  ：  先端部
１３ｂｒ：筆部材
【図１】
0003209056.tif 000003